(57)【要約】【課題】  並列配置された複数の階段状導光路の出射部と外部の光伝送媒体との接続を従来の上下方向で行うものと比べ精度良く行うことができる光分岐装置を提供する。【解決手段】  光分岐装置１０は、入射した光を階段状に設けられた複数の出射部１に分岐する並列配置された複数の階段状導光路（コア）２と、階段状導光路２の出射部１に光学的に接続され１つまたは複数の階段状導光路２と交差して延びる接続導光路（コア）３とを備える。接続導光路３は、階段状導光路２と交差し光分岐装置１０の端部まで延びる。交差部４の屈折率は、好ましくは階段状導光路２の屈折率よりも高くされる。階段状導光路２の出射部１と接続導光路３との接続部には光の経路を変更する光反射傾斜面５が設けられる。【選択図】  図１
2010002521.tif 000002
【特許請求の範囲】
【請求項１】
入射した光を階段状に設けられた複数の出射部に分岐する並列配置された複数の階段状導光路と、前記階段状導光路の出射部に光学的に接続され１つまたは複数の前記階段状導光路と交差して延びる接続導光路とを備えた光分岐装置。
【請求項２】
前記接続導光路と前記階段状導光路とが平面的に交差する請求項１記載の光分岐装置。
【請求項３】
前記接続導光路と前記階段状導光路との交差部の屈折率が、前記階段状導光路の屈折率よりも高い請求項２記載の光分岐装置。
【請求項４】
前記階段状導光路の出射部と前記接続導光路との接続部に光反射傾斜面を有する請求項２または３記載の光分岐装置。
【請求項５】
前記接続導光路が、段階的に曲げられて前記並列配置された複数の階段状導光路に対して直交方向に向けられる請求項２または３記載の光分岐装置。
【請求項６】
前記接続導光路と前記階段状導光路とが積層構造で形成され、前記接続導光路と前記階段状導光路とが立体的に交差する請求項１記載の光分岐装置。
【請求項７】
前記階段状導光路の出射部および前記接続導光路が、積層方向に対向する光反射傾斜面をそれぞれ有する請求項６記載の光分岐装置。
【請求項８】
前記前記接続導光路が、前記並列配置された複数の階段状導光路に対して直交方向に配置された請求項７記載の光分岐装置。
【請求項９】
前記接続導光路が、前記並列配置された複数の階段状導光路の長手方向に引き出され、そのあと段階的に曲げられて前記並列配置された複数の階段状導光路に対して直交方向に向けられる請求項７記載の光分岐装置。
【請求項１０】
前記階段状導光路の出射部の位置が、別の前記階段状導光路の出射部の位置と長手方向で異なる請求項１〜９のいずれかに記載の光分岐装置。
【請求項１１】
請求項１〜１０のいずれかに記載の光分岐装置と、前記光分岐装置における前記階段状導光路の出射部側とは反対側の端部に光学的に接続される光源とを備えた光伝送装置。
【発明の詳細な説明】
【技術分野】
【０００１】
本発明は、光分岐装置に関するものである。
【背景技術】
【０００２】
入射された光を分岐して出射する光分岐装置は従来から種々のものが提案されている。例えば、特許文献１には、階段状導光路を有する光分岐装置が開示されている。この光分岐装置は、ブロードキャスト型のシート状の透光性媒体と複数の光ファイバとを備える。この透光性媒体は、複数の光出射部が階段状に形成されている。この光分岐装置に入射した信号光は透光性媒体内をブロードキャストされ、階段状に形成された各光出射部に分岐して伝達される。この光出射部には光を反射する４５度面が形成されており、これにより信号光はその進行方向が９０度曲げられ、各光出射部にそれぞれ垂直に配置された光ファイバに出射される。各光出射部の大きさは、対応する光ファイバのコア径に概ね等しくされる。
【０００３】
特許文献２には、特許文献１と同様な階段状導光路を有する光カプラが開示されている。この光カプラは、光ファイバを含む入力導光路および複数の出力導光路を、それぞれコネクタを介して受け入れ、入力導光路から入力される光信号を分岐させて、出力導光路から出力するものである。
【０００４】
特許文献３には、特許文献１と同様な階段状導光路を有する光伝送装置が開示されている。この光伝送装置は、出射光信号の強度の均一性を良くするため階段状導光路の段差部のピッチを導光路の段差部の幅の１０倍以上とするものである。
【０００５】
特許文献４には、光コネクタ用光学素子が開示されている。この光学素子は、光伝送用媒体の端面が露出すると共に嵌合用のピン又は嵌合用のピンを挿入する孔を備えた光コネクタに用いるためのものであって、ピンに取付けるためのピン保持部を有し、ピン保持部をピンに嵌合させることによって光コネクタに取付けたときに光伝送用媒体の端面と対応する位置に光学機能素子を設けたものである。
【０００６】
特許文献５には、光路変換型光結合素子が開示されている。この光結合素子は、樹脂成形体にほぼ直交する２つの面とこの２つの面に対してほぼ４５°の角度をなす全反射面とを形成し、２つの面にそれぞれ複数のレンズを一体に設けたものである。この光結合素子を回路基板の表面に当接させ、ガイド孔に挿通させたガイドピンを回路基板の位置決め孔に嵌合させるものである。
【特許文献１】特開２００３−４９７２号公報
【特許文献２】特開２００３−１７２８４８号公報
【特許文献３】特開２００４−８５８７１号公報
【特許文献４】特開２００３−１０７２７７号公報
【特許文献５】特開２００５−３１５５６号公報
【発明の開示】
【発明が解決しようとする課題】
【０００７】
本発明の目的は、並列配置された複数の階段状導光路の出射部と外部の光伝送媒体との接続を従来の上下方向で行うものと比べ精度良く行うことができる光分岐装置を提供することにある。
【課題を解決するための手段】
【０００８】
本発明は、上記目的を達成するために、以下の光分岐装置を提供する。また、以下の光分岐装置を用いた光伝送装置を提供する。
（１）入射した光を階段状に設けられた複数の出射部に分岐する並列配置された複数の階段状導光路と、前記階段状導光路の出射部に光学的に接続され１つまたは複数の前記階段状導光路と交差して延びる接続導光路とを備えた光分岐装置。
（２）前記接続導光路と前記階段状導光路とが平面的に交差する上記（１）記載の光分岐装置。
（３）前記接続導光路と前記階段状導光路との交差部の屈折率が、前記階段状導光路の屈折率よりも高い上記（２）記載の光分岐装置。
（４）前記階段状導光路の出射部と前記接続導光路との接続部に光反射傾斜面を有する上記（２）または（３）記載の光分岐装置。
（５）前記接続導光路が、段階的に曲げられて前記並列配置された複数の階段状導光路に対して直交方向に向けられる上記上記（２）または（３）記載の光分岐装置。
（６）前記接続導光路と前記階段状導光路とが積層構造で形成され、前記接続導光路と前記階段状導光路とが立体的に交差する上記（１）記載の光分岐装置。
（７）前記階段状導光路の出射部および前記接続導光路が、積層方向に対向する光反射傾斜面をそれぞれ有する上記（６）記載の光分岐装置。
（８）前記前記接続導光路が、前記並列配置された複数の階段状導光路に対して直交方向に配置された上記（７）記載の光分岐装置。
（９）前記接続導光路が、前記並列配置された複数の階段状導光路の長手方向に引き出され、そのあと段階的に曲げられて前記並列配置された複数の階段状導光路に対して直交方向に向けられる上記（７）記載の光分岐装置。
（１０）前記階段状導光路の出射部の位置が、別の前記階段状導光路の出射部の位置と長手方向で異なる上記（１）〜（９）のいずれかに記載の光分岐装置。
（１１）上記（１）〜（１０）のいずれかに記載の光分岐装置と、前記光分岐装置における前記階段状導光路の出射部側とは反対側の端部に光学的に接続される光源とを備えた光伝送装置。
【発明の効果】
【０００９】
請求項１に係る光分岐装置によれば、並列配置された複数の階段状導光路の出射部と外部の光伝送媒体との接続を従来の上下方向で行うものと比べ精度良く行うことができる。
請求項２に係る光分岐装置によれば、本構成を有していない場合に比べ装置の厚みを抑えることができる。
請求項３に係る光分岐装置によれば、本構成を有していない場合に比べ交差部における損失を抑えることができる。
請求項４に係る光分岐装置によれば、大きな角度で接続導光路を階段状導光路の出射部から引き出すことができる。
請求項５に係る光分岐装置によれば、本構成を有していない場合に比べ光分岐装置の幅を小さくすることができる。
請求項６に係る光分岐装置によれば、本構成を有していない場合に比べ装置の厚みを抑えることができ、また交差部における損失を抑えることができる。
請求項７に係る光分岐装置によれば、本構成を有していない場合に比べ階段状導光路の出射部と接続導光路間の光学的接続を効率よく行うことができる。
請求項８に係る光分岐装置によれば、階段状導光路の長手方向に対して直交する方向に接続導光路を引き出すことができる。
請求項９に係る光分岐装置によれば、階段状導光路の長手方向に対して直交する方向に接続導光路を引き出すことができる。
請求項１０に係る光分岐装置によれば、接続導光路を階段状導光路の出射部から別の階段状導光路と交差して引き出す場合のスペースを容易に確保することができる。
請求項１１に係る光伝送装置によれば、並列配置された複数の階段状導光路の出射部と外部の光伝送媒体との接続を従来の上下方向で行うものと比べ精度良く行うことができる。
【発明を実施するための最良の形態】
【００１０】
以下、本発明の実施形態を説明するが、その前にいわゆる階段状導光路における光の伝達について簡単に説明する。
図１２は、階段状導光路の一例を示す図である。この階段状導光路は上述の特許文献１に記載されているものと同様であり、図示のように、ブロードキャスト型のシート状の透光性媒体１１０を備える。この透光性媒体１１０は、複数の出射部１１２が形成された光分岐部１１３と、好ましくは光入射部に光の拡散手段１１４とを有する。光分岐部１１３は、各出射部１１２が形成される部分にそれぞれ段差部１１８を有する。この段差部１１８には光を反射する４５度面が形成されている。この４５度面は、光が反射しやすいように研磨されていることが好ましく、場合によっては金属膜などを蒸着してもよい。光の入射は光ファイバ１１７を介して行われ、一方、光の出射は複数の光ファイバ１１１を介して行われる。各光ファイバ１１１は、それぞれコア１１５とクラッド／被覆１１６とから構成されており、コア１１５がそれぞれ出射部１１２と光学的に良好に結合されるように透光性媒体１１０上に配置される。これにより、透光性媒体１１０に入射された光が各出射部１１２を介して複数の光ファイバ１１１に分岐され伝達される。以下、本発明の実施形態を説明する。
【００１１】
図１は、本発明に係る光分岐装置の第１の実施形態を示す図で、（ａ）は平面図、（ｂ）は（ａ）のＸ−Ｘ’断面図、（ｃ）は（ａ）のＹ−Ｙ’断面図、（ｄ）は（ａ）のａ部拡大図、（ｅ）は接続部の他の例を示す一部拡大図である。
【００１２】
図１（ａ）に示すように、光分岐装置１０は、入射した光を階段状に設けられた複数の出射部１に分岐する並列配置された複数の階段状導光路（コア）２と、階段状導光路２の出射部１に光学的に接続され１つまたは複数の階段状導光路２と交差して延びる接続導光路（コア）３とを備える。ここで「交差」とは、接続導光路３が階段状導光路２に対して平面的に交差する場合だけでなく、立体的に交差する場合も含む。本例では、接続導光路３と階段状導光路２とが平面的に交差する。立体的に交差する場合は後述する。本例の接続導光路３は、階段状導光路２と直交して交差し、図中下方の光分岐装置１０の端部まで延びる。その交差部４の屈折率は、好ましくは階段状導光路２の屈折率よりも高くされる。但しそれは必須ではない。階段状導光路２の出射部１と接続導光路３との接続部には光の経路を変更する光反射傾斜面５を有する。
【００１３】
図１（ｂ）、（ｃ）に示すように、光分岐装置１０は３層からなる。層Ａは階段状導光路（コア）２を含む層であり、層Ｂ（クラッド）と層Ｃ（クラッド）に挟まれている。このような光分岐装置１０は例えば次のようにして作製される。すなわち、所望の階段状導光路（コア）および接続導光路（コア）パターンに対応したフォトマスクを用いてベースとなる樹脂フィルム（層Ａ）をＵＶ光で露光し、階段状導光路（コア）および接続導光路（コア）パターン部分の屈折率を変化させる（大きくする）方法（フォトブリーチング法）で形成可能である。さらに、同様の方法で、接続導光路と階段状導光路との交差部パターンに対応したフォトマスクを用いて再度の樹脂フィルム（層Ａ）をＵＶ光で露光し、交差部パターン部分の屈折率をさらに大きくする。このように交差部の屈折率は、二重露光などの方法で２段階に変化させて高めることができる。その後、変化させたパターン部分の屈折率を熱処理により固定させる。次に、接続導光路と階段状導光路パターンを形成した樹脂フィルム（層Ａ）の上下にクラッドとなる樹脂フィルム（層Ｂ、層Ｃ）を貼り合わせ、所望の形状に切り出して、光分岐装置１０を作製する。
【００１４】
図１（ｄ）は（ａ）のａ部拡大図である。図において、光反射傾斜面５は、例えば４５度ミラー面である。光反射傾斜面５は、例えば既知のレーザ加工法により形成することができる。光反射傾斜面５は、例えばレーザ加工で階段状導光路２に空けられた開口部６の面を用いることができる。この場合、開口部６は空気で満たされるため、クラッドとしての機能を有する。いま、屈折率を、階段状導光路と接続導光路がｎ１、交差部４がｎ２、階段状導光路と接続導光路の周囲がｎ３、開口部６がｎ４とすると、ｎ２＞ｎ１＞ｎ３＞ｎ４である。具体的には、例えば、ｎ１＝１．５２，ｎ２＝１．５６，ｎ３＝１．４９，ｎ４＝１とされる。図１１は、交差部の長さと幅の比に対する損失の一例を示すグラフである。本図は接続導光路における交差部４の長さＬと幅Ｗの比に対する損失を示したもので、これによれば交差部４の屈折率が階段状導光路の屈折率と同一の場合と比較して、交差部４の屈折率を階段状導光路の屈折率よりも高くすることで損失を抑える効果があることがわかる。斜めに交差する場合も同様な効果が期待できる。
【００１５】
図１（ｅ）は、接続導光路３の変形例である。図示のように、階段状導光路２の出射部１と接続導光路３との接続部に光反射傾斜面５を設けることなく、接続導光路３を階段状導光路２の長手方向に対して斜め方向に引き出し、段階的に曲げて最終的には階段状導光路２の長手方向に対して直交方向に向ける。この場合、屈曲した接続導光路３の屈折率ｎ５は、階段状導光路２の屈折率ｎ１よりも高くすることが好ましく、例えばｎ５＞ｎ１＞ｎ３とされる。
【００１６】
図２は、本発明に係る光分岐装置の第１の実施形態の変形例を示す図で、（ａ）は平面図、（ｂ）は（ａ）のｂ部拡大図である。本例は、階段状導光路２の出射部１から引き出される接続導光路３が上述した図１の実施形態と反対方向である点で異なり、その他の点では図１の実施形態と同様である。以下、本例が図１の実施形態と異なる点について主として述べる。本例では、図示のように、接続導光路３は、階段状導光路２の出射部１から引き出され、図中上方へ向かうため、接続導光路３は、自身が引き出された階段状導光路２と交差して延びる。これに対して、図１の実施形態では、接続導光路３は、階段状導光路２の出射部１から引き出され、図中下方へ向かうため、接続導光路３は、自身が引き出された階段状導光路２と交差することなく、別の階段状導光路２と交差して延びる。すなわち、図１および図２の実施形態によれば、接続導光路３は、階段状導光路２の長手方向に対して直交するどちら側にも向けることができる。
【００１７】
図３は、本発明に係る光分岐装置の第２の実施形態を示す平面図である。本例は、階段状導光路２の出射部１から接続導光路３が斜め方向に引き出される点および光反射傾斜面を備えていない点で図１の実施形態と異なり、その他の点では図１の実施形態と同様である。以下、本例が図１の実施形態と異なる点について主として述べる。図示のように、接続導光路３は、並列配置された複数の階段状導光路２に対して斜め方向に引き出され、複数の階段状導光路２を越えたところで経路を変えて、複数の階段状導光路２に対して並列配置される。この場合、光の各出射部は、階段状導光路２の光の入射部（図中左側）と反対側となる。接続導光路３と階段状導光路２との交差部４は斜めに形成される。その交差部４の屈折率は、好適には階段状導光路２の屈折率よりも高くされる。接続導光路３が階段状導光路２と交差する交差角θは、例えば１５度以下が好ましく、この場合損失はほとんど発生しない。
【００１８】
図４は、本発明に係る光分岐装置の第３の実施形態を示す平面図である。本例は、階段状導光路２の出射部１から接続導光路３が斜め方向に引き出される点、接続導光路３が段階的に曲げられる点および光反射傾斜面を備えていない点で図１の実施形態と異なり、その他の点では図１の実施形態と同様である。以下、本例が図１の実施形態と異なる点について主として述べる。図示のように、接続導光路３は、並列配置された複数の階段状導光路２に対して斜め方向に引き出され、斜め方向に引き出された接続導光路は、段階的に曲げられて最終的に並列配置された複数の階段状導光路に対して直交方向に向けられる。図３の場合と同様に、接続導光路３と階段状導光路２との交差部４は斜めに形成されるが、本例では、接続導光路３が段階的に曲げられるのに伴って、交差部４の形状も段階的に変化する。接続導光路３と階段状導光路２との交差部４の屈折率は、好適には階段状導光路２の屈折率よりも高くされる。
【００１９】
図４に示す実施形態をさらに詳述する。本実施形態では、上記第１および第２の実施形態と同様に、階段状導光路２を４チャンネルアレイとしている。階段状導光路（コア）２の厚みは例えば５０μｍであり、階段状導光路の入射部分の幅は２００μｍである。階段状の段差の幅は５０μｍであり、階段状導光路の幅は２００μｍから順次１５０μｍ、１００μｍ、５０μｍとなる。階段状の段差のピッチは１０ｍｍであり、チャンネル毎に最初の段差位置を２５０μｍずらしてある。各階段状導光路２のアレイの配列ピッチは２５０μｍであり、接続導光路３のアレイのピッチも２５０μｍとなっている。接続導波路３は、階段状導光路２から最初は２２．５度（θ１）の角度で引き出され、隣接する階段状導光路２と交差する。交差した後に４５度（θ２）の角度に曲げられ、さらに隣接する階段状導光路２と交差する。同様に交差した後に６７．５度（θ３）の角度に曲げられて、さらに隣接する階段状導光路２と交差する。最後に９０度（θ４）の角度に形成される。ここでは４段階（θ１〜θ４）に屈曲する例を示したが、交差する前にも屈曲させ７段階に屈曲させる構成も可能である。これにより、面内クラッドと階段状導光路（コア）の屈折率差が小さくても屈曲による損失を抑えることができる。
【００２０】
図５は、本発明に係る光分岐装置の第４の実施形態を示す図で、（ａ）は平面図、（ｂ）は（ａ）のＹ−Ｙ’断面図、（ｃ）は（ａ）のＸ−Ｘ’断面図である。図５（ａ）に示すように、光分岐装置１０は、入射した光を階段状に設けられた複数の出射部１に分岐する並列配置された複数の階段状導光路（コア）２と、階段状導光路２の出射部１に光学的に接続され１つまたは複数の階段状導光路２と交差して延びる接続導光路（コア）３０とを備える。本例では、接続導光路３０と階段状導光路２とは立体的に直交して交差する。図５（ｂ）、（ｃ）に示すように、接続導光路３０と階段状導光路２とは積層構造で形成される。その製造方法は後述する。
【００２１】
階段状導光路２の出射部１と接続導光路３０とは、図５（ｃ）に示すように、それぞれ積層方向に対向して設けられた光反射傾斜面５１，５２を介して光学的に接続される。この様子を図６を用いて説明する。図６は、図５（ａ）のｃ部拡大概念図である。本図は、関連するコア部分（階段状導光路２，接続導光路３０）のみを示し、クラッド部分は省略している。図示のように、階段状導光路２を水平方向に伝搬してきた光５３は、階段状導光路２の出射部１の光反射傾斜面５１である例えば４５度ミラー面で垂直方向に反射されて光５４となり、さらに図示しないクラッドを介して接続導光路３０の光反射傾斜面５２である例えば４５度ミラー面で水平方向に反射されて光５５となり、接続導光路３０内を伝搬して行く。
【００２２】
図７（ａ）〜（ｊ）は図５に示す光分岐装置の製造工程を説明するための模式図である。まず、図７（ａ）で下部クラッド層７１の上にコアとなる層７２を形成する。次に、（ｂ）でフォトブリーチング法などにより層７２に複数の階段状導波路２を形成する。次に、（ｃ）で各階段状導波路２の出射部１に対応する位置に、光反射傾斜面５１として例えば４５度ミラー面をレーザ加工法などで形成する。必要に応じて階段状導波路２の光入射部にも光反射傾斜面として例えば４５度ミラー面をレーザ加工法などで形成することができる。また、別行程で、接続導光路３０を次のようにして形成する。まず、（ｄ）で下部クラッド層７３の上にコアとなる層７４を形成する。次に、（ｅ）でフォトブリーチング法などにより層７４に複数の直線状の接続導光路３０を形成する。次に、（ｆ）で階段状導波路２の出射部１に対応する接続導光路３０の位置に光反射傾斜面５２として例えば４５度ミラー面をレーザ加工法などで形成する。次に、（ｇ）で接続導光路３０に上部クラッド層７５を形成する。（ｈ）は（ｇ）の接続導光路３０を含む層を９０度回転したものであり、この接続導光路３０を含む層と（ｉ）の階段状導波路２を含む層とを正確に位置決めし、（ｊ）で両者を貼り合わせ、所望の形状に切り出して、光分岐装置１０を作製する。
【００２３】
図８は、本発明に係る光分岐装置の第５の実施形態を示す図で、（ａ）は平面図、（ｂ）は（ａ）のｄ部の長手方向断面図、（ｃ）は（ａ）のｄ部拡大概念図である。本例は、階段状導光路２に対する接続導光路３０の配置状態および接続導光路３０にコネクタ８０を接続した点で図５の実施形態と異なり、その他の点では図５の実施形態と同様である。以下、本例が図５の実施形態と異なる点について主として述べる。図示のように、本例の接続導光路３０は、並列配置された複数の階段状導光路２の長手方向に引き出され、そのあと段階的に曲げられて、最終的に並列配置された複数の階段状導光路に対して直交方向に向けられる。すなわち、階段状導光路に対する水平方向の９０度光路変換は接続導光路３０の屈曲部分で行う。図示のように、接続導光路３０の端部には、図示しない外部の光伝送媒体と接続可能なコネクタ８０が配置される。
【００２４】
階段状導光路２の出射部１と接続導光路３０とは、図８（ｂ）に示すように、それぞれ積層方向に対向して設けられた光反射傾斜面８１，８２を介して光学的に接続される。この様子を図８（ｃ）を用いて説明する。図８（ｃ）は、同図（ａ）のｄ部拡大概念図であり、関連するコア部分（階段状導光路２，接続導光路３０）のみを示し、クラッド部分は省略している。図示のように、階段状導光路２を水平方向に伝搬してきた光８３は、階段状導光路２の出射部１の光反射傾斜面８１である例えば４５度ミラー面で垂直方向に反射されて光８４となり、さらに図示しないクラッドを介して接続導光路３０の光反射傾斜面８２である例えば４５度ミラー面で水平方向に反射されて光８５となり、接続導光路３０内を伝搬して行く。
【００２５】
図９は、図５の光分岐装置を光源に接続した光伝送装置の一例を示す図である。図示のように、光分岐装置１０は、基板９０上に支持部材９１を介して配置される。光分岐装置１０における階段状導光路２の出射部１側とは反対側の端部に光源として例えば面型発光素子９２が配置される。階段状導光路２の端部は、光反射傾斜面９３である例えば４５度ミラー面が設けられ、面型発光素子９２と垂直方向で光学的に接続される。面型発光素子９２から出射された光は階段状導光路端部の光反射傾斜面９３で水平方向に光路変換され階段状導光路２内を伝搬し、出射部１の光反射傾斜面で垂直方向に光路変更され、さらに接続導光路３０の端部の光反射傾斜面で水平方向に反射されて、接続導光路３０内を伝搬して行く。
【００２６】
図８の実施形態では、上述のとおり接続導光路の先端にコネクタが設けられる。図１０は、接続導光路の先端に設けられるコネクタの一例を示す正面図である。コネクタ１００は、図示しない外部の例えば光ファイバ等の光伝送媒体と接続するための接続口１０１と、光伝送媒体側のガイドピンを挿入する穴１０２とを備える。このコネクタの穴１０２に光伝送媒体側のガイドピンを挿入することで、光分岐装置の接続導光路と外部の光伝送媒体との接続が精度よく行われる。
【図面の簡単な説明】
【００２７】
【図１】本発明に係る光分岐装置の第１の実施形態を示す図で、（ａ）は平面図、（ｂ）は（ａ）のＸ−Ｘ’断面図、（ｃ）は（ａ）のＹ−Ｙ’断面図、（ｄ）は（ａ）のａ部拡大図、（ｅ）は接続部の他の例を示す一部拡大図である。
【図２】本発明に係る光分岐装置の第１の実施形態の変形例を示す図で、（ａ）は平面図、（ｂ）は（ａ）のｂ部拡大図である。
【図３】本発明に係る光分岐装置の第２の実施形態を示す平面図である。
【図４】本発明に係る光分岐装置の第３の実施形態を示す平面図である。
【図５】本発明に係る光分岐装置の第４の実施形態を示す図で、（ａ）は平面図、（ｂ）は（ａ）のＹ−Ｙ’断面図、（ｃ）は（ａ）のＸ−Ｘ’断面図である。
【図６】図５（ａ）のｃ部拡大概念図である。
【図７】（ａ）〜（ｊ）は図５に示す光分岐装置の製造工程を説明するための模式図である。
【図８】本発明に係る光分岐装置の第５の実施形態を示す図で、（ａ）は平面図、（ｂ）は（ａ）のｄ部の長手方向断面図、（ｃ）は（ａ）のｄ部拡大概念図である。
【図９】図５の光分岐装置を光源に接続した光伝送装置の一例を示す図である。
【図１０】接続導光路の先端に形成されるコネクタの一例を示す正面図である。
【図１１】交差部の長さと幅の比に対する損失の一例を示すグラフである。
【図１２】階段状導光路の一例を示す図である。
【符号の説明】
【００２８】
１  出射部
２  階段状導光路
３、３０  接続導光路
４  交差部
５、５１、５２、８１、８２  光反射傾斜面
６  開口部
１０  光分岐装置
【図１】
2010002521.tif 000003
【図２】
2010002521.tif 000004
【図３】
2010002521.tif 000005
【図４】
2010002521.tif 000006
【図５】
2010002521.tif 000007
【図６】
2010002521.tif 000008
【図７】
2010002521.tif 000009
【図８】
2010002521.tif 000010
【図９】
2010002521.tif 000011
【図１０】
2010002521.tif 000012
【図１１】
2010002521.tif 000013
【図１２】
2010002521.tif 000014